(57)【特許請求の範囲】
【請求項１】
ムーブメントと、
該ムーブメントの外周に配置された環状のソーラーセルと、
前記ムーブメントの、前記ソーラーセルと重ならない内周部に重なる遮光シートと、
を有し、
該遮光シートは、
前記ムーブメントの前記内周部に配置される遮光部と、
前記ムーブメントの、前記ソーラーセルの外周で、前記遮光シートを固定する固定部と、前記ソーラーセルを跨ぎ、前記遮光部と前記固定部を繋ぐ連結部と、を有し、
前記ソーラーセルは、平面視で巻真と重なる位置にスリットが配置され、
前記連結部は、該スリットと重なるように配置される
ことを特徴とするソーラーセル付電子時計。
【請求項２】
前記連結部は、前記ソーラーセルの分割線と重なるように配置される
ことを特徴とする請求項１に記載のソーラーセル付電子時計。
【請求項３】
前記遮光シートは、前記遮光部と前記固定部と前記連結部で囲われる透過部を有し、
該透過部と前記ソーラーセルの発電部が重なる
ことを特徴とする請求項１又は２に記載のソーラーセル付電子時計。
【請求項４】
前記透過部は、表示窓を兼用する
ことを特徴とする請求項３に記載のソーラーセル付電子時計。
【請求項５】
前記ムーブメントの前記ソーラーセルの外周に、文字板を固定する文字板固定部を有し、前記遮光シートは、前記文字板固定部を用いて固定される
ことを特徴とする請求項１から４のいずれか１つに記載のソーラーセル付電子時計。
【発明の詳細な説明】
【技術分野】
【０００１】
本発明は、ソーラーセルを搭載した電子時計に関する。
【背景技術】
【０００２】
薄型ソーラーセル時計として、特許文献１のような、ムーブメント外周にソーラーセルを配置する時計が提案されている。特許文献１には、文字板を通してムーブメントが透けて見えるのを避けるため、ムーブメントに対向する部分に遮光シールが設置されている。
【先行技術文献】
【特許文献】
【０００３】
【特許文献１】特開２００４−６９６２６号公報（図２、請求項６、段落００２９、００３０）
【発明の概要】
【発明が解決しようとする課題】
【０００４】
特許文献１の遮光シールは、ムーブメントに直接貼り付けるので、位置合わせが難しく、一度貼り付けると修正が難しいので、生産工程に負荷がかかる。文字板に色塗りすることも開示されているが、文字板とムーブメントの位置合わせが難しい。本発明は、上記課題を解決しようとするもので、遮光部材の位置合わせを簡単にし、生産工程に負荷をかけない、ソーラーセル搭載の電子時計を提供することを目的とする。
【課題を解決するための手段】
【０００５】
上記目的を達成するため、本発明は、ムーブメントと、
該ムーブメントの外周に配置された環状のソーラーセルと、
前記ムーブメントの、前記ソーラーセルと重ならない内周部に重なる遮光シートと、
を有し、
該遮光シートは、
前記ムーブメントの前記内周部に配置される遮光部と、
前記ムーブメントの、前記ソーラーセルの外周で、前記遮光シートを固定する固定部と、前記ソーラーセルを跨ぎ、前記遮光部と前記固定部を繋ぐ連結部と、を有し、
前記ソーラーセルは、平面視で巻真と重なる位置にスリットが配置され、
前記連結部は、該スリットと重なるように配置される
ことを特徴とする。
【０００６】
また、前記連結部は、前記ソーラーセルの分割線と重なるように配置されていてもよい。
【０００８】
また、前記遮光シートは、前記遮光部と前記固定部と前記連結部で囲われる透過部を有し、該透過部と前記ソーラーセルの発電部が重なっていてもよい。
【０００９】
また、前記透過部は、表示窓を兼用していてもよい。
前記ムーブメントの前記ソーラーセルの外周に、文字板を固定する文字板固定部を有し、前記遮光シートは、前記文字板固定部を用いて固定されていてもよい。
【発明の効果】
【００１０】
以上のように、本発明によれば、遮光シートの位置合わせを簡単にし、生産工程に負荷
をかけない、ソーラーセル搭載の電子時計を提供することが出来る。
【００１１】
また、遮光シートの連結部がソーラーセルの分割線や巻真と重なることにより、ソーラーセルの発電性能への影響を最小限に抑えることが出来る。
【００１２】
また、遮光シートの固定部を文字板の固定部と同じ位置にしているため、構造を簡略化することが出来る。
【００１３】
また、遮光シートの透過部を表示窓として活用することにより、様々な文字板のデザインに対応することが出来る。
【図面の簡単な説明】
【００１４】
【図１】本発明を適用した第１実施の形態による文字板側から見たソーラーセル搭載の電子時計の平面図である。
【図２】本発明を適用した第１実施の形態による文字板側から見た遮光シート取り付け前のムーブメントの平面図である。
【図３】本発明を適用した第１実施の形態による文字板側から見たソーラーセルブロックの平面図である。
【図４】本発明を適用した第１実施の形態による文字板側から見た遮光シートの平面図である。
【図５】図２に遮光シートを取り付けた後の文字板側から見たムーブメントの平面図である。
【図６】本発明を適用した第１実施の形態によるソーラーセルブロックと巻真に遮光シートを重ねた場合の文字板側から見た平面図である。
【図７】本発明を適用した第１実施の形態による支持枠でソーラーセルブロックと遮光シートと文字板を固定した場合の文字板側から見た平面図である。
【図８】本発明を適用した第２実施の形態による文字板側から見た遮光シートの平面図である。
【図９】本発明を適用した第２実施の形態によるソーラーセルブロックと巻真に遮光シートを重ねた場合の文字板側から見た平面図である。
【図１０】本発明を適用した第１の変形例で文字板側から見た遮光シートの平面図である。
【図１１】本発明を適用した第２の変形例で文字板側から見た遮光シートの平面図である。
【図１２】本発明を適用した第３の変形例で遮光シートに表示窓を設けた場合の文字板側から見た平面図である。
【図１３】本発明を適用した第４の変形例で遮光シートを線対称形状にした場合の文字板側から見た平面図である。
【図１４】本発明を適用した第５の変形例で遮光シートを点対称形状にした場合の文字板側から見た平面図である。
【図１５】本発明を適用した第６の変形例で遮光シートを線対称かつ点対称形状にした場合の文字板側から見た平面図である。
【発明を実施するための形態】
【００１５】
［第１実施形態］
以下、図面を用いて本発明の第１実施の形態を説明する。図１は文字板側から見たソーラーセル搭載の電子時計の平面図である。図２は文字板側から見た遮光シート取り付け前のムーブメントの平面図である。図３は文字板側から見たソーラーセルブロックの平面図である。図４は文字板側から見た遮光シートの平面図である。図５は図２に遮光シートを取り付けた後の文字板側から見たムーブメントの平面図である。図６はソーラーセルブロ
ックと巻真に遮光シートを重ねた場合の文字板側から見た平面図である。図７は支持枠でソーラーセルブロックと遮光シートと文字板を固定した場合の文字板側から見た平面図である。
【００１６】
図１において１は電子時計であって、２は外装ケース、３は時刻修正操作を行うためのリューズ、４は時針、５は分針、６は光透過型の文字板である。なお、文字板上面は風防ガラスで覆われている。
【００１７】
図２において、７は本発明の第１の実施形態のムーブメントである。１９ａ、１９ｂはムーブメント７の基板となる地板であり、筒車のパイプ２０を組み込むために中心穴１９ｃを有する。地板１９ａは文字板側、地板１９ｂは裏蓋側に配置される。地板１９ａ、１９ｂには、外部操作部材であるリューズ３が取り付けられる巻真８、地板１９ｂと巻真８とソーラーセルブロック１０を保持するための支持枠９、ソーラーセルブロック１０、ソーラーセルブロック１０を位置決めするガイドピン１５、２次電池１６、駆動コイル１７、コイル巻き芯１８、コイル巻き芯を固定するコイル巻き芯固定ネジ１８ａ、１８ｂが組み込まれる。支持枠９は地板１９ｂ、巻真８、ソーラーセルブロック１０を保持すると共に、文字板６や後述の遮光シート３０を位置決めするために、文字板側に突起させた文字板固定部９ａ〜９ｄを有する。
【００１８】
ムーブメント７の、環状のソーラーセルブロック１０に囲まれた部分を内周部７ａと呼ぶ。内周部７ａは、外観品質上、文字板６を通して視認されることは好ましくないので、後述の遮光シートを配置する。詳細は後述する。
【００１９】
巻真８は、ソーラーセルブロック１０のスリット１０ａに配置される。これにより、ソーラーセルブロック１０が巻真８と重ならないように配置可能となり、ムーブメント７の厚みを薄くすることを可能としている。
【００２０】
図３はソーラーセルブロック１０単体の平面図である。ソーラーセルブロック１０は、ソーラーセル１１にソーラーセル受け板１２を接着し一体化した構造である。ソーラーセル１１は８段直列接続となっており、分割線１１ａ〜１１ｇにより分割される発電部１１２ａ〜１１２ｈ、発電部１１２ａ〜１１２ｈを直列接続するための接続電極部１１１ａ〜１１１ｇ、回路基板との接続を行うための取り出し電極部ａ１３、取り出し電極部ｂ１４を有する。発電部１１２ａ〜１１２ｈは、外部からの光を受けて発電し、その発電電力は２次電池１６に充電される。
【００２１】
ソーラーセル受け板１２は、樹脂フィルム等で構成されるソーラーセル１１の組み込み性向上や保持を目的としている。ソーラーセル受け板１２は必須ではなく、ソーラーセルブロック１０は、ソーラーセル１１のみで構成されても良い。
【００２２】
先述の如く、ソーラーセルブロック１０の巻真８と重なる部分には、スリット１０ａが設けられている。ソーラーセルブロック１０がムーブメント７に組み込まれたときに、スリット１０ａに巻真８が配置され、これによりムーブメント７の厚みを薄くすることを可能としている。
【００２３】
図４は遮光シート３０の平面図である。遮光シート３０は、ムーブメント７のソーラーセルブロック１０で囲まれた内周部７ａ及び巻真８が、外部から視認されないように設置される部材である。遮光シート中心穴３１は筒車のパイプ２０を通し、位置決めの役割も果たす。遮光シート３０は内周部７ａに配置される遮光部３２と、ムーブメント７の外周部で固定するための固定部３４ａ、３４ｂと、ソーラーセル１１を跨ぎ、遮光部３２と固定部３４ａ、３４ｂをつなぐ連結部３３ａ〜３３ｄを有する。３５ａ、３５ｂは透過部で
あり、遮光部３２と固定部３４ａ、３４ｂと連結部３３ａ〜３３ｄで囲われた領域である。また、固定部３４ａ、３４ｂには位置決めを行うための遮光シート位置決め穴３６ａ、３６ｂを設けている。
【００２４】
遮光シート３０は、その性質上、光を透過させないような材質で作成されるか、光を通さない塗料で着色されている。ここで、「光を透過させない」とは、完全に光を透過させないものである必要は無く、文字板を通して内周部７ａが視認されない状態であれば、多少光を透過させるものであっても良い。
【００２５】
透過部３５ａ、３５ｂは、ソーラーセル１１の発電部１１２の発電を阻害しないように設置される。本実施例では開口で形成されているが、遮光シート３０を透明な材料で形成し、透過部３５ａ、３５ｂは着色しないようにしても良い。また、遮光シート３０を位置決めするために遮光シート位置決め穴３６ａ、３６ｂを穴形状にしたが、位置決め出来るのであれば他の形状や切り欠きでも良い。
【００２６】
図５は図２のムーブメント７に遮光シート３０を組み込んだ平面図である。遮光シート３０は、遮光シート中心穴３１と固定部３４ａ、３４ｂに設けた遮光シート位置決め穴３６ａ、３６ｂの３点によって位置決めされる。
【００２７】
図６はソーラーセルブロック１０と巻真８に遮光シート３０を重ねた平面図であって、遮光シート３０と重なる内周部７ａや分割線１１ｄ，１１ｅを点線で透視している。遮光部３２が内周部７ａを覆い、連結部３３ａ、３３ｃ、３３ｄが分割線１１ｄ，１１ｅと巻真８を覆うことで、内周部７ａや分割線１１ｄ，１１ｅ、巻真８が時計状態で視認されることを防いでいる。また、透過部３５ａ、３５ｂにより、ソーラーセル１１の発電部１１２ａ、１１２ｅにおける発電が遮光シート３０で阻害されることを防いでいる。
【００２８】
なお、連結部３３ｂと発電部１１２ａが重なる部分では、ソーラーセル１１の発電が阻害されるが、連結部３３ｂは細いので大きな影響は無い。また、連結部３３ｂや固定部３４ａ、３４ｂを、光が透過するように透明に構成すれば、発電への影響を無くすことが可能である。
【００２９】
図７は、支持枠９とソーラーセルブロック１０と遮光シート３０と文字板６を重ねた平面図であって、文字板６と重なる支持枠９とソーラーセルブロック１０と遮光シート３０を点線で透視している。前述のとおり、文字板６の位置決めをする文字板固定部９ａ〜９ｄのうち、９ｂ，９ｄが遮光シート３０の位置決めも兼ねている。なお、本実施例では文字板固定部９ｂ，９ｄは文字板６と遮光シート３０の位置決めを兼ねているが、ソーラーセルブロック１０の位置決めと兼ねても良い。
【００３０】
［第２実施形態］
次に、図面を用いて本発明の第２実施の形態を説明する。なお、遮光シート以外の構成は第１実施形態と同じなので、遮光シートについてのみ説明する。
【００３１】
図８は、第２実施形態の遮光シート１３０の平面図である。遮光シート中心穴１３１は筒車のパイプ２０を通し、位置決めの役割も果たす。遮光シート１３０は、内周部７ａに配置される遮光部１３２とムーブメント７の外周部で固定するための固定部１３４とソーラーセル１１を跨ぎ、遮光部１３２と固定部１３４をつなぐ連結部１３３ａ〜１３３ｈを有する。遮光部１３２と固定部１３４と連結部１３３ａ〜１３３ｈで囲われた領域は透過部１３５ａ〜１３５ｈである。また、固定部１３４には位置決めを行うための遮光シート位置決め穴１３６ａ、１３６ｂを設けている。なお、図８では遮光シート位置決め穴１３６ａ、１３６ｂを２つ設けたが、１つ以上であれば良い。
【００３２】
図９はソーラーセルブロック１０と巻真８に遮光シート１３０を重ねた平面図であって、遮光シート１３０と重なる内周部７ａや分割線１１ａ〜１１ｇを点線で透視している。遮光部１３２が内周部７ａを覆い、連結部１３３ａ〜１３３ｈが巻真８及び分割線１１ａ〜１１ｇ全てを覆うことで、第一実施形態よりも分割線を隠す効果を高めている。また、連結部１３３ａ〜１３３ｈが発電部１１２ａ〜１１２ｈを覆わないので、第１実施形態よりもソーラーセル１１での発電量の向上が期待できる。
【００３３】
［変形例］
次に、図面を用いて本発明の変形例の形態を説明する。なお、遮光シート以外の構成において記載の無い場合は第１実施形態と同じであるので、以下の説明は遮光シートについてのみ説明する。
【００３４】
図１０は、第１の変形例の遮光シート２３０の平面図である。遮光シート２３０は、内周部７ａ及び巻真８が、外部から認識されないように遮光部２３２が配置される。遮光部２３２の巻真８が重なる部分には位置決めを行うための遮光シート位置決め穴２３６を設けている。支持枠９の遮光シート位置決め穴２３６に対応する部分には、不図示の文字板固定部を設置している。
【００３５】
第１、第２実施形態では発電部１１２ａ〜１１２ｈと連結部３３、１３３がわずかだが重なり、それにより若干発電量が減少するが、本変形例では、遮光部２３２を分割線１１ａ〜１１ｇの上部に設けないことにより、ソーラーセル１１の発電部１１２での受光を一切阻害することが無いので、第１、第２実施形態よりもソーラーセル１１での発電量の向上が期待できる。
【００３６】
図１１は、第２の変形例の遮光シート３３０の平面図である。遮光シート３３０全体を透明な素材で作成し、内周部７ａ及び巻真８の上部のみ、外部から認識されないように遮光部３３２（斜線領域）を配置し、ムーブメント７の外周部で固定するために、遮光シート位置決め穴３３６ａ、３３６ｂを設けている。これにより、図１０の遮光シート２３０より位置決めしやすい効果が期待できる。
【００３７】
図１２は、第３の変形例の遮光シート４３０の平面図である。遮光シート４３０は、内周部７ａに配置される遮光部４３２とムーブメント７の外周部で固定するための固定部４３４ａ、４３４ｂとソーラーセル１１を跨ぎ、遮光部４３２と固定部４３４ａ、４３４ｂをつなぐ連結部４３３ａ〜４３３ｄを有する。遮光部４３２と固定部４３４ａ、４３４ｂと連結部４３３ａ〜４３３ｄで囲われた領域は透過部４３５ａ、４３５ｂである。４３７ａ、４３７ｂはカレンダー、都市、液晶等の表示窓であり、光を透過する領域である。本変形例で示されるように、本発明は、図１で示される指針のみの時計の他、カレンダー等を有する指針式時計や、コンビネーション時計にも適用可能である。また、透過部４３５ａ、４３５ｂを表示窓の代わりとして用いても良い。それにより、遮光部４３２の開口を少なくして、遮光シート４３０の強度を保つことが出来る。
【００３８】
図１３は、第４の変形例の遮光シート５３０の平面図である。遮光シート５３０は、内周部７ａに配置される遮光部５３２とムーブメント７の外周部で固定するための固定部５３４ａ、５３４ｂとソーラーセル１１を跨ぎ、遮光部５３２と固定部５３４ａ、５３４ｂをつなぐ連結部５３３ａ〜５３３ｄを有する。遮光部５３２と固定部５３４ａ、５３４ｂと連結部５３３ａ〜５３３ｄで囲われた領域は透過部５３５ａ、５３５ｂである。固定部５３４ａ、５３４ｂには位置決めを行うための遮光シート位置決め穴５３６ａ、５３６ｂを設けている。また、遮光シート５３０は左右対称に構成されており、支持枠９の文字板固定部９ａ〜９ｄを適応するように位置変更を行えば、生産工程における組込作業の時間
短縮が見込める。
【００３９】
図１４は、第５の変形例の遮光シート６３０の平面図である。遮光シート６３０は、内周部７ａに配置される遮光部６３２とムーブメント７の外周部で固定するための固定部６３４ａ、６３４ｂとソーラーセル１１を跨ぎ、遮光部６３２と固定部６３４ａ、６３４ｂをつなぐ連結部６３３ａ〜６３３ｄを有する。遮光部６３２と固定部６３４ａ、６３４ｂと連結部６３３ａ〜６３３ｄで囲われた領域は透過部６３５ａ、６３５ｂである。固定部６３４ａ、６３４ｂには位置決めを行うための遮光シート位置決め穴６３６ａ、６３６ｂを設けている。また、遮光シート６３０は中心穴６３１に対し点対称に構成されており、支持枠９の文字板固定部９ａ〜９ｄを適応するように位置変更を行えば、生産工程における組込作業の時間短縮が見込める。
【００４０】
図１５は、第６の変形例の遮光シート７３０の平面図である。遮光シート７３０は、内周部７ａに配置される遮光部７３２とムーブメント７の外周部で固定するための固定部７３４とソーラーセル１１を跨ぎ、遮光部７３２と固定部７３４をつなぐ連結部７３３ａ〜７３３ｄを有する。遮光部７３２と固定部７３４と連結部７３３ａ〜７３３ｄで囲われた領域は透過部７３５ａ〜７３５ｄである。固定部７３４には位置決めを行うための遮光シート位置決め穴７３６ａ〜７３６ｄを設けている。また、遮光シート７３０は、左右対称かつ上下対称、さらに中心穴７３１に対し点対称に構成されており、支持枠９の文字板固定部９ａ〜９ｄを適応するように位置変更を行えば、生産工程における組込作業の時間短縮が見込める。
【符号の説明】
【００４１】
１  電子時計
２  外装ケース
３  リューズ
４  時針
５  分針
６  文字板
７  ムーブメント
７ａ  内周部
８  巻真
９  支持枠
９ａ〜９ｄ  文字板固定部
１０  ソーラーセルブロック
１０ａ  スリット
１１  ソーラーセル
１１ａ〜１１ｇ  分割線
１１１ａ〜１１１ｇ  接続電極部
１１２ａ〜１１２ｈ  発電部
１２  ソーラーセル受け板
１３  取り出し電極部ａ
１４  取り出し電極部ｂ
１５  ガイドピン
１６  ２次電池
１７  駆動コイル
１８  コイル巻き芯
１８ａ、１８ｂ  コイル巻き芯固定ネジ
１９ａ、１９ｂ  地板
１９ｃ  中心穴
２０  筒車のパイプ
３０、１３０、２３０、３３０、４３０、５３０、６３０、７３０  遮光シート
３１、１３１、６３１、７３１  遮光シート中心穴
３２、１３２、２３２、３３２、４３２、５３２、６３２、７３２  遮光部
３３ａ〜３３ｄ、１３３ａ〜１３３ｈ、４３３ａ〜４３３ｄ、５３３ａ〜５３３ｄ、６３３ａ〜６３３ｄ、７３３ａ〜７３３ｄ  連結部
３４ａ、３４ｂ、１３４、４３４ａ、４３４ｂ、５３４ａ、５３４ｂ、６３４ａ、６３４ｂ、７３４  固定部
３５ａ、３５ｂ、１３５ａ〜１３５ｈ、４３５ａ、４３５ｂ、５３５ａ、５３５ｂ、６３５ａ、６３５ｂ、７３５ａ〜７３５ｄ  透過部
３６ａ、３６ｂ、１３６ａ、１３６ｂ、２３６、３３６ａ、３３６ｂ、５３６ａ、５３６ｂ、６３６ａ、６３６ｂ、７３６ａ〜７３６ｄ  遮光シート位置決め穴
４３７ａ、４３７ｂ  表示窓  
【図１】
0006679347.tif 000002
【図２】
0006679347.tif 000003
【図３】
0006679347.tif 000004
【図４】
0006679347.tif 000005
【図５】
0006679347.tif 000006
【図６】
0006679347.tif 000007
【図７】
0006679347.tif 000008
【図８】
0006679347.tif 000009
【図９】
0006679347.tif 000010
【図１０】
0006679347.tif 000011
【図１１】
0006679347.tif 000012
【図１２】
0006679347.tif 000013
【図１３】
0006679347.tif 000014
【図１４】
0006679347.tif 000015
【図１５】
0006679347.tif 000016